(57)【特許請求の範囲】
【請求項１】
コイルが巻回されたボビン内に設けられたコアと上記コイルへの通電用ターミナルと上記コアと共に磁路を形成するヨークとを有する複数組の電磁ソレノイド、上記各コアに対向配置され移動自在に構成されたプランジャ、上記プランジャと共に流体通路を形成するサイドカバー、上記複数組の電磁ソレノイドを一体化してその外層を形成し上記各電磁ソレノイド間に設けられた取付穴を有する外装樹脂、上記外装樹脂と一体に成形され上記複数組の電磁ソレノイドの各ターミナルを一箇所に集約するコネクター、上記外装樹脂の取付面に取付穴を囲んで設けられた取付座、上記取付座から所定の距離離れて設けられ上記取付座に対して所定の寸法長く設定された複数の取付足を備えたことを特徴とする複合型電磁弁。
【発明の詳細な説明】
【０００１】
【発明の属する技術分野】
この発明は、複数の電磁弁を一体化した複合型電磁弁に関するものである。
【０００２】
【従来の技術】
図１１は、電磁弁の構成例を示すものである。図において、１は電磁弁で、電磁弁１は、第一流体通路２ａを有するコア２と、コア２の外周に設けられコイル３が巻回されるボビン４と、ボビン４の一方の端部に設けられると共に、プレート１０と組合わされて、磁路を形成する磁性体よりなるコ字状のヨーク６と、これらを一体に成形してコイル３の外周を覆うと共に、コイル３の外部口出用ターミナル７を有するコネクター８を一体に形成する外装樹脂９と、第二流体通路１１ａと第三流体通路１１ｂとを有し、第二流体通路１１ａの弁座が第一流体通路２ａと同軸心になるように外装樹脂９に一体に組み付けられるサイドカバー１１と、サイドカバー１１の内径にコア２と対向してまた軸方向に摺動自在に嵌挿され、コア２との間に設けられたバネ１２により付勢されることによって通常は第二流体通路１１ａの弁座を閉塞し、コイル３に通電されるとコア２に吸引されて第二流体通路１１ａを解放すると共に第一流体通路２ａを閉塞するプランジャ１３とにより構成されている。
また、ヨーク６にはボルト５を取り付けるための取付ステー６ｂが切り起こしにより形成されている。
【０００３】
図１２、ないし、図１５は、従来の複合型電磁弁の構成例を示すもので、図１２は側面図、図１３、ないし、図１５は平面図である。従来の複合型電磁弁においては、上記に述べたような電磁弁１の複数個が一組となってブラケット１４にそれぞれがボルト５とナット１５により取り付けられ、さらに、ブラケット１４に設けられた複数個の取付穴１４ａにより、例えば、図示しない自動車用内燃機関、あるいは、エンジンルームの取付ステーに取り付けられる。複合型電磁弁においては電磁弁１は目的により各種のものが使用される。例えば、図１３においては上記の説明による電磁弁１が２個使用され、図１４においては上記説明の電磁弁１と、第一流体通路２ａを有しない電磁弁１ａとが組み合わせて使用され、図１５においては第一流体通路２ａを有しない電磁弁１ａのみが２個使用されている。また、複合型電磁弁においては複合動作をさせるために、図１２及び図１４に示すように、連結管１６によって例えば両電磁弁の第三流体通路１１ｂ相互間が連結されて使用されることが多い。
【０００４】
上記に示した電磁弁１は、コイル３に対する励磁の有無によって第三流体通路１１ｂに対する流体の連通を、第一流体通路２ａと第二流体通路１１ａとに切り換えるものであるが、例えば、図１４の構成における電磁弁１ａは第一流体通路を有しないものであるから、コイルの励磁の有無により第二流体通路１１ａと第三流体通路１１ｂとの間の連通・遮断のみの機能を有することになり、電磁弁１と電磁弁１ａとを組み合わせた図１４の複合型電磁弁においては、それぞれの第三流体通路１１ｂ相互間がパイプ１６により連結されているため、電磁弁１ａの第二流体通路１１ａに対する電磁弁１の第一流体通路２ａと第二流体通路１１ａとの流体の切換と、さらに、両者に対する遮断の機能とを併せ持つことになり、単独の電磁弁に対して機能の拡大ができることになる。
【０００５】
【発明が解決しようとする課題】
以上のように、従来の複合型電磁弁においては内燃機関に対する装着のためにブラケット１４に複数の電磁弁を併設して取り付けるものが多く、ブラケット１４などの介在物を必要とすると共に、耐震性を持たせるためにブラケット１４自体の強度補強が必要であったり、取付強度を得るためにブラケット１４を複数のボルトで取り付けるなど、工数の増加が避けられないものであった。また、実開平２ー６０７８０号公報に小型化の方策として２個の電磁弁を一体化することが提案されているが、単なる一体化であって耐震性を得ながら取付を容易化するものにはなり得ないものである。
【０００６】
この発明は、以上のような課題を解決するためになされたものであって、高い振動を有する内燃機関に装着されても良好な信頼性が得られ、取付や配線などの装着性が極めて良好で、製造原価の低減が可能な複合型電磁弁を得ることを目的とするものである。
【０００７】
【課題を解決するための手段】
この発明に係わる複合型電磁弁は、コイルが巻回されたボビン内に設けられたコアと上記コイルへの通電用ターミナルと上記コアと共に磁路を形成するヨークとを有する複数組の電磁ソレノイド、上記各コアに対向配置され移動自在に構成されたプランジャ、上記プランジャと共に流体通路を形成するサイドカバー、上記複数組の電磁ソレノイドを一体化してその外層を形成し上記各電磁ソレノイド間に設けられた取付穴を有する外装樹脂、上記外装樹脂と一体に成形され上記複数組の電磁ソレノイドの各ターミナルを一箇所に集約するコネクター、上記外装樹脂の取付面に取付穴を囲んで設けられた取付座、上記取付座から所定の距離離れて設けられ上記取付座に対して所定の寸法長く設定された複数の取付足を備えたものである。
【０００９】
【発明の実施の形態】
実施の形態１．
図１ないし図８は、この発明の実施の形態１の複合型電磁弁を示すもので、図１は構成を示す断面図、図２ないし図４は構成の詳細図、図５及び図６は取付状態を示す側面図、図７は底面図、図８はサイドカバーの断面図を示し、図中、上記従来例と同一部分には同一符号を付している。図において、３０及び３０ａは複合型電磁弁を形成するそれぞれの電磁ソレノイド、２は第一流体通路２ａを有する一方の電磁ソレノイド３０のコア、２ｂは他方の電磁ソレノイド３０ａのコア、３及び３ａはコア２及び２ｂを励磁するためにボビン４及び４ａに巻回されたコイル、６及び６ａはコア２、２ｂの一方の端部に固定され、磁性体より成るコ字状のヨーク、１７はボビン４及び４ａの他端に電磁ソレノイド３０及び３０ａに共通に設けられ、コ字状のヨーク６及び６ａと組み合わされることにより磁路を形成する板状の磁性体より成るプレート、７ａ及び７ｂは図２及び図３に示すようにボビン４に固定されたコイル３の口出しターミナル、７ｃ及び７ｄはボビン４ａに固定されたコイル３ａの口出しターミナルで、電磁ソレノイド３０と３０ａは外装樹脂９により一体に成形されている。
【００１０】
また、コイル３及び３ａと、ターミナル７ａ、７ｂ及び７ｃ、７ｄと、ボビン４及び４ａと、さらには、第一ヨーク６及び６ａとは共通のものが使用され、図２ないし図４に示すように、各ターミナルは中心に向かうように配列された上、図１に示すように、外装樹脂９と一体に成形されるコネクター１８に集約されている。１９は電磁ソレノイド３０及び３０ａ共通のサイドカバーで、プレート１７にシール部材２０を介して気密的に取り付けられると共に、第二流体通路１９ａと第三流体通路１９ｂとを有し、第三流体通路１９ｂは第二流体通路１９ａとコア２の第一流体通路２ａとを連絡する連通流体通路１９ｃに連通されている。
【００１１】
１３及び１３ａは電磁ソレノイド３０及び３０ａのプランジャで、それぞれのボビン４及び４ａの内径にコア２及び２ｂと対向して移動自在に嵌挿され、バネ１２及び１２ａとコア２及び２ｂの吸引力とにより、プランジャ１３は第一流体通路２ａと連通流体通路１９ｃとの間を連通及び遮断し、プランジャ１３ａは第二流体通路１９ａと連通流体通路１９ｃとの間を連通及び遮断するように構成されている。ここで、２１は電磁ソレノイド３０と３０ａとの間に外装樹脂９を貫通して設けられ、ブッシュ２２を有する取付穴、２３は図５及び図７に示すように取付面側の取付穴２１の周辺に設けられた取付座、２４は取付面側に取付座２３より所定の距離離れて複数個設けられた取付足で、取付足２４は取付座２３より所定寸法長く設定され、平面状の取付面２５に取付足２４が設置されたとき、取付座２３と取付面２５との間に所定の隙間ｇができるように構成されている。
【００１２】
このように構成されたこの発明の実施の形態１の複合型電磁弁において、両電磁ソレノイド３０及び３０ａのコイル３及び３ａを励磁または非励磁とすることにより、従来例の図１３と同様に、第三の流体通路１９ｂに対して第一の流体通路２ａと第二の流体通路１９ａとを個別に連通・遮断することができ、一方のみとの連通、両者との連通、両者との遮断の制御が可能な一体型の複合型電磁弁が得られ、また、複合型電磁弁の取付に当たっては、図６に示すように、取付穴２１を貫通するボルト２６を、取付座２３が取付面２５に接するまで締め付けることにより、外装樹脂９が撓んでその弾性により強固に固定することができ、介在物や煩雑な取付工数を必要とせずに振動に対して信頼性の高い取付ができるものである。また、各電磁ソレノイドのターミナルをコネクター１８の一箇所に集約したので結線作業が容易となり、さらに、各電磁ソレノイド３０と３０ａとはコア２及び２ｂを除き同一部品の使用が可能になり、部品点数の低減と、製造原価の低減が可能になるものである。
また、プレートを共用することにより、サイドカバーとの間に各電磁ソレノイド間を連通する流体通路を簡単にかつ確実につくることが可能となる。特にモールド成形する際に効果が大きい。
【００１３】
実施の形態２．
図９、及び、図１０はこの発明の実施の形態２の構成を示すもので、図９は、複合型電磁弁のそれぞれの電磁ソレノイド３０ｂが三方電磁弁にて構成された例を示し、図１０は、それぞれが二方電磁弁３０ｃにて構成された例を示すものである。これらは、サイドカバー２６に、二組の第二流体通路２６ａと第三流体通路２６ｂを有する点と、図９においては第一流体通路２ａを二組有する点と、図１０においては第一流体通路が存在しない点において上記実施の形態１との流体制御内容の違いがあるが、サイドカバー２６が共通化され、連通流体通路を有する点と、単一の取付穴による取付構造と、コネクター１８による各ターミナルの集約と、部品の共通性に関しては実施の形態１と同様のものであり、同一効果を有するものである。
【００１４】
【発明の効果】
以上に説明したように、この発明によれば、複数の電磁弁単体を外装樹脂により一体化し、各電磁コイルのターミナルを一個のコネクターに集約したので結線作業が容易となる。また、各電磁ソレノイドの間に取付穴を設け、取付面側に取付穴周辺の取付座と、取付座より高い取付足を取付座とは所定の距離離して設けるようにしたので取り付け作業が容易となって、しかも強固に固定することができ、さらに部品の共用化が可能になるなど優れた複合型電磁弁を得ることができるものである。
【図面の簡単な説明】
【図１】  この発明の実施の形態１による複合型電磁弁の断面図である。
【図２】  この発明の実施の形態１による複合型電磁弁の構成図である。
【図３】  この発明の実施の形態１による複合型電磁弁の構成図である。
【図４】  この発明の実施の形態１による複合型電磁弁の一部断面図である。
【図５】  この発明の実施の形態１による複合型電磁弁の側面図である。
【図６】  この発明の実施の形態１による複合型電磁弁の取付説明図である。
【図７】  この発明の実施の形態１による複合型電磁弁の底面図である。
【図８】  この発明の実施の形態１による複合型電磁弁の部品図である。
【図９】  この発明の実施の形態２による複合型電磁弁の底面図である。
【図１０】  この発明の実施の形態２による複合型電磁弁の底面図である。
【図１１】  従来の電磁弁の構成を示す断面図である。
【図１２】  従来の複合型電磁弁の側面図である。
【図１３】  従来の複合型電磁弁の平面図である。
【図１４】  従来の複合型電磁弁の平面図である。
【図１５】  従来の複合型電磁弁の平面図である。
【符号の説明】
２、２ｂ  コア、２ａ  第一流体通路、３、３ａ  コイル、
４、４ａ  ボビン、６、６ａ  コ字状のヨーク、
７ａ、７ｂ、７ｃ、７ｄ  ターミナル、９  外層樹脂、
１２、１２ａ  バネ、１３、１３ａ  プランジャ、１７  プレート、
１８  コネクター、１９  サイドカバー、１９ａ  第二流体通路、
１９ｂ  第三流体通路、１９ｃ  連通流体通路、２０  シール材、
２１  取付穴、２２  ブッシュ、２３  取付座、２４  取付足、
３０、３０ａ  電磁ソレノイド。
【図１】
0003785264.tif 000002
【図２】
0003785264.tif 000003
【図３】
0003785264.tif 000004
【図４】
0003785264.tif 000005
【図５】
0003785264.tif 000006
【図６】
0003785264.tif 000007
【図７】
0003785264.tif 000008
【図８】
0003785264.tif 000009
【図９】
0003785264.tif 000010
【図１０】
0003785264.tif 000011
【図１１】
0003785264.tif 000012
【図１２】
0003785264.tif 000013
【図１３】
0003785264.tif 000014
【図１４】
0003785264.tif 000015
【図１５】
0003785264.tif 000016